(57)【要約】【課題】所定箇所での止水が可能で、かつ簡易に構築できコストも抑えることができる山留め壁等を提供する。【解決手段】山留め壁１は、Ｈ型鋼１１、ソイルセメント１３、鋼板１５等を有し、地盤１００の透水層１０１および不透水層１０２に設けられる。ソイルセメント１３は、Ｈ型鋼１１の高さ方向の一部の止水対象区間で、隣り合うＨ型鋼１１に接触するように設けられる。ソイルセメント１３は、隣り合うＨ型鋼１１の間の地盤１００に直接挿入したロッド２０からセメントミルクを高圧噴射して充填し、地盤１００の土と混合、撹拌して形成される。【選択図】図２
2015221993.tif 000002
【特許請求の範囲】
【請求項１】
地盤に打設された複数の杭材と、
前記杭材の高さ方向の一部のみで止水材を充填することで、隣り合う前記杭材に接触するように形成された止水部と、
を具備することを特徴とする山留め壁。
【請求項２】
前記止水材が、隣り合う前記杭材の間から充填されたことを特徴とする請求項１記載の山留め壁。
【請求項３】
前記止水材が、前記杭材の前方にはみださないように充填されたことを特徴とする請求項１または請求項２のいずれかに記載の山留め壁。
【請求項４】
前記杭材の高さ方向の前記止水材の充填箇所を除く一部で、隣り合う前記杭材の間に設けられた板材を更に具備することを特徴とする請求項１から請求項３のいずれかに記載の山留め壁。
【請求項５】
地盤に複数の杭材を打設する工程と、
前記杭材の高さ方向の一部のみで止水材を充填することで、隣り合う前記杭材に接触するように止水部を形成する工程と、
を有することを特徴とする山留め壁の構築方法。
【請求項６】
前記止水材を、隣り合う前記杭材の間から充填することを特徴とする請求項５記載の山留め壁の構築方法。
【請求項７】
前記止水材が、地盤に直接挿入したロッドから高圧噴射を行うことにより充填されることを特徴とする請求項５または請求項６記載の山留め壁の構築方法。
【請求項８】
前記止水材が、前記杭材の前方にはみださないように充填されることを特徴とする請求項５から請求項７のいずれかに記載の山留め壁の構築方法。
【請求項９】
前記杭材の高さ方向の前記止水材の充填箇所を除く一部で、隣り合う前記杭材の間に板材を設ける工程を更に具備することを特徴とする請求項５から請求項８のいずれかに記載の山留め壁。
【発明の詳細な説明】
【技術分野】
【０００１】
本発明は、山留め壁およびその構築方法に関する。
【背景技術】
【０００２】
地下構造物の構築時などでは、山留め壁を構築したうえで、その前方の掘削予定箇所の掘削が行われる。地下水位よりも深く地盤を掘削する場合には、山留め壁として、止水機能を有するソイルセメント壁などが用いられる。
【０００３】
ソイルセメント壁は複数のソイルセメントの柱状体からなり、隣り合う柱状体同士をラップさせることで止水機能を有する連続壁を構築したものである。ソイルセメントの柱状体は、地盤をオーガヘッドなどの掘削刃で掘削して柱状体に対応する径の掘削穴を形成し、掘削穴内で地盤の土とセメントミルク等をスクリュー等で混合、撹拌した後、Ｈ型鋼等の芯材を掘削穴内に挿入することで構築される。
【０００４】
特許文献１、２には、ソイルセメント壁を構築する際に、止水が必要な部分のみでソイルセメントの柱状体をラップさせることが記載されており、これにより材料面のコストを低減できる。
【０００５】
その他の山留め壁の例として、特許文献３には、親杭と横矢板からなる山留め壁の背後において、地盤内の地下水の流れを遮断する位置に止水部を設けることが記載されている。
【先行技術文献】
【特許文献】
【０００６】
【特許文献１】特開２０１２−１０７４４４号公報
【特許文献２】特開平９−２７９５６９号公報
【特許文献３】特開２００９−６８２０３号公報
【発明の概要】
【発明が解決しようとする課題】
【０００７】
上記の特許文献１〜３は、いずれも必要な箇所のみに止水機能を持たせるものであるが、特許文献１、２のようなソイルセメント壁では芯材の全長に渡ってセメントミルク等が充填されるので、上記の手法によっても材料面のコストは依然大きく、またセメントミルク等の硬化前に芯材を打設する必要があり施工が困難であった。また特許文献３の方法では土圧を支持する横矢板と止水部を併用することからコストの点で問題があった。
【０００８】
本発明は、前述した問題点に鑑みてなされたもので、その目的は、所定箇所での止水が可能で、かつ簡易に構築できコストも抑えることができる山留め壁等を提供することである。
【課題を解決するための手段】
【０００９】
前述した目的を達成するための第１の発明は、地盤に打設された複数の杭材と、前記杭材の高さ方向の一部のみで止水材を充填することで、隣り合う前記杭材に接触するように形成された止水部と、を具備することを特徴とする山留め壁である。
【００１０】
前記止水材が、隣り合う前記杭材の間から充填されることが望ましい。また、前記止水材が、前記杭材の前方にはみださないように充填されることが望ましい。さらに、前記杭材の高さ方向の前記止水材の充填箇所を除く一部で、隣り合う前記杭材の間に設けられた板材を更に具備することが望ましい。
【００１１】
第２の発明は、地盤に複数の杭材を打設する工程と、前記杭材の高さ方向の一部のみで止水材を充填することで、隣り合う前記杭材に接触するように止水部を形成する工程と、を有することを特徴とする山留め壁の構築方法である。
【００１２】
前記止水材を、隣り合う前記杭材の間から充填することが望ましい。また、前記止水材が、地盤に直接挿入したロッドから高圧噴射を行うことにより充填されることが望ましい。また、前記止水材が、前記杭材の前方にはみださないように充填されることが望ましい。さらに、前記杭材の高さ方向の前記止水材の充填箇所を除く一部で、隣り合う前記杭材の間に板材を設ける工程を更に具備することが望ましい。
【００１３】
本発明によれば、杭材の高さ方向の一部のみに止水材を充填して止水部を形成するので、従来のソイルセメント壁に比べ止水材の量が減り、止水部を簡易に構築し材料面のコストも抑えることができ、環境面でも好適である。また、杭材を打設した後、止水材を隣り合う杭材の間から充填して止水部を形成できるので、止水材の硬化前に杭材を打設する必要がなく施工が容易である。さらに、止水部は杭材に接触するように形成されるので、これにより土圧を好適に負担させることができ横矢板等も省略できる。また、止水材の充填箇所以外の部分、例えば全層のうち砂質土、砂れき土の割合が小さい層などで出水した場合は、別途板材を設け、想定できなかった出水に対して漏水による被害を防止できる。また、板材により土圧を負担させることもできる。
【００１４】
さらに、地盤に直接挿入したロッドから高圧噴射を行い止水材を充填することで、止水材と地盤の土を混合、撹拌し、地盤と置き換えて容易に止水部を形成できる。また止水部に対応する径の掘削穴を掘削する必要もないので、地盤掘削時に掘削刃が杭材に干渉するといったこともない。さらに、止水材を杭材の前方にはみださないように充填することで、地盤の掘削時に止水部を除去する必要もなくなる。
【発明の効果】
【００１５】
本発明によれば、所定箇所での止水が可能で、かつ簡易に構築できコストも抑えることができる山留め壁等を提供することができる。
【図面の簡単な説明】
【００１６】
【図１】山留め壁１を示す図
【図２】山留め壁１の斜視図
【図３】山留め壁１の水平方向断面を示す図
【図４】山留め壁１の構築方法を示す図
【図５】山留め壁１の構築方法を示す図
【図６】セメントミルクの充填を示す図
【図７】山留め壁１ａとその構築方法を説明する図
【発明を実施するための形態】
【００１７】
以下、図面に基づいて、本発明の実施形態について説明する。
【００１８】
[第１の実施形態]
（１．山留め壁１）
まず、本発明の実施形態に係る山留め壁について、図１〜図３を参照して説明する。図１は山留め壁１を示す図であり、山留め壁１を高さ方向に沿って見たものである。図２は山留め壁１の斜視図であり、図３は山留め壁１の水平方向断面を示す図である。図３（ａ）はソイルセメント１３の位置での水平方向断面、図３（ｂ）は鋼板１５の位置での水平方向断面を示す。
【００１９】
山留め壁１は地盤１００に設けられる。地盤１００は、砂質土などの透水層１０１と、粘性土などの不透水層１０２を有する。山留め壁１の前方の地盤１００を掘削することで、掘削箇所２００が形成される。以降、山留め壁１において前方とは掘削箇所２００の方向を指し、後方とは地盤１００の方向を指すものとする。
【００２０】
山留め壁１は、Ｈ型鋼１１、ソイルセメント１３、鋼板１５等を有し、地盤１００の透水層１０１および不透水層１０２に設けられる。
【００２１】
Ｈ型鋼１１は、山留め壁１の高さ方向に設けられる杭材であり、平面上間隔を空けて複数設けられる。
【００２２】
ソイルセメント１３は、Ｈ型鋼１１の高さ方向の一部で、透水層１０１など止水したい区間である止水対象区間に設けられる止水部である。ソイルセメント１３は、セメントミルク（止水材）をＨ型鋼１１の間から充填し、地盤１００の土と混合、撹拌することで形成され、図３（ａ）に示すように隣り合うＨ型鋼１１のウェブ等に接するように設けられる。
【００２３】
鋼板１５は、Ｈ型鋼１１の高さ方向のソイルセメント１３（セメントミルクの充填箇所）以外の一部で、図３（ｂ）に示すように地盤１００の亀裂１０３等から出水した部分あるいは出水の恐れのある部分に設けられる板材である。鋼板１５は例えば鉄板であり、隣り合うＨ型鋼１１の間の前方を覆うように、Ｈ型鋼１１のフランジに溶接等により固定する。
【００２４】
なお、本実施形態では、不透水層１０２が非常に強固である等の理由により不透水層１０２で山留め壁１に土圧が生じないものとし、出水部分等に鋼板１５を取り付けるのみとしたが、山留め壁１に土圧が生じる箇所では、横矢板等の板材をＨ型鋼１１の間に取り付けて土圧を支持させるのがよい。
【００２５】
（２．山留め壁１の構築方法）
次に、山留め壁１の構築方法について説明する。山留め壁１を構築する際は、まず図４（ａ）に示すように、地盤１００にＨ型鋼１１を挿入する。Ｈ型鋼１１は振動工法やプレボーリング工法、強制圧入工法などの従来工法により挿入され、前記したように平面上間隔を空けて複数並べて設けられる。
【００２６】
本実施形態では、前記のソイルセメント１３が、地盤改良で多用される高圧噴射撹拌工法を利用して形成される。すなわち、図４（ｂ）に示すように、Ｈ型鋼１１の間の地盤１００に１本のロッド２０を直接挿入し、前記の止水対象区間にて、ロッド端部のノズル（不図示）からセメントミルクを高圧噴射して充填する。
【００２７】
ロッド２０を引き上げつつ、図６（ａ）に示すようにロッド端部のノズルから周囲の地盤１００に向かって矢印に示すようにセメントミルクを高圧噴射することで、セメントミルクが地盤１００の土と混合、撹拌され、図６（ｂ）に示すようにソイルセメント１３が地盤１００と置き換えて形成される。
【００２８】
なお、図６の例では、Ｈ型鋼１１のウェブの中心付近に対応する位置にロッド２０が挿入されており、セメントミルクがＨ型鋼１１の前方にはみ出して充填され、ソイルセメント１３がＨ型鋼１１の前方に突出している。また、この例ではソイルセメント１３が略円形断面になるようにセメントミルクを高圧噴射するが、ソイルセメント１３の形成時には、ソイルセメント１３が非円形断面となるようにセメントミルクを高圧噴射することも可能である。ソイルセメント１３の幅もＨ型鋼１１の間隔に合わせて変更できる。さらに、セメントミルクは水平方向に噴射するだけでなく、ロッド先端のノズル（不図示）から下方に噴射することも可能であり、この場合には止水対象区間の下端部でも十分にセメントミルクが充填でき、ソイルセメント１３とＨ型鋼１１との密着性が高まり止水性が向上する。
【００２９】
山留め壁１の構築方法の説明に戻る。次に、図５（ａ）に示すように、Ｈ型鋼１１の前方の地盤１００を掘削する。ソイルセメント１３の位置では、Ｈ型鋼１１の前方に突出したソイルセメント１３を除去しつつ、掘削を行う。
【００３０】
この後、ソイルセメント１３の位置から下方へとさらに掘削を続ける。図５（ｂ）に示すように、出水部分等の必要な箇所では、前記したように隣り合うＨ型鋼１１の間に鋼板１５を設ける。こうして必要な深さまで掘削を行うと、図１等で説明した山留め壁１が構築される。
【００３１】
以上説明したように、本実施形態によれば、Ｈ型鋼１１の高さ方向の一部のみにセメントミルクを充填してソイルセメント１３を形成するので、従来のソイルセメント壁に比べセメントミルクの量が減り、ソイルセメント１３を簡易に構築し材料面のコストも抑えることができ、環境面でも好適である。また、先にＨ型鋼１１を打設した後、セメントミルクを隣り合うＨ型鋼１１の間から充填してソイルセメント１３を形成できるので、セメントミルクの硬化前にＨ型鋼１１を打設する必要がなく施工が容易である。さらに、ソイルセメント１３はＨ型鋼１１に接触するように形成されるので、これにより土圧を好適に負担させることができ横矢板等も省略できる。ただし、ソイルセメント１３を設けた箇所で、さらにＨ型鋼１１間に横矢板等を設けることは可能である。
【００３２】
また、ソイルセメント１３以外の部分では、例えば砂質土、砂れき土の割合が小さい層などで出水した場合に、出水部分等で上記のように鋼板１５を設け、想定できなかった出水に対して簡易に漏水による被害を防止できる。また横矢板等により土圧を負担させることも可能である。
【００３３】
さらに、地盤１００に直接挿入したロッド２０から高圧噴射を行いセメントミルクを充填することで、セメントミルクと地盤１００の土を混合、撹拌し、地盤１００と置き換えて容易にソイルセメント１３が形成できる。またソイルセメント１３に対応する径の掘削穴を掘削する必要もないので、地盤掘削時に掘削刃がＨ型鋼１１に干渉するといったこともない。
【００３４】
しかしながら、本発明はこれに限ることはない。例えば杭材としてはＨ型鋼１１に限らず、山型鋼やＣ型鋼、鋼管、木製杭なども用いることが可能である。また、止水材としてはセメントミルクの他水ガラス、薬液の高圧噴射によるもの等も考えられる。
【００３５】
また、止水対象区間は、止水したい区間であればよく、透水層１０１に限らない。例えば粘性土などの不透水層１０２でも、若干砂が混じっているので計画上止水したい場合や、水を完全に止めたい場合はこれを止水対象区間とする。あるいは逆に、透水層１０１でも水を通したい場合は計画上止水対象区間としない。
【００３６】
また、図１の例では山留め壁１の下端部が不透水層１０２に達しているが、地盤１００の層と山留め壁１の深さの関係はこれに限らない。例えば山留め壁１の下端部が透水層１０１内にある場合もある。また、地下水レベルがより低い位置にある等の理由により、常時は地下水のない透水層１０１等の区間でも、降水時の対策等の観点からこれを止水対象区間とすることもある。さらに、止水対象区間は１つに限らず、高さ方向に離れて複数設定してもよい。この場合は、複数の止水対象区間のそれぞれでソイルセメント１３等の止水部を形成し止水を行えばよい。
【００３７】
[第２の実施形態]
次に、本発明の第２の実施形態について説明する。第２の実施形態はソイルセメント１３の形成位置が異なる例であり、その他については同様であるので説明を省略する。
【００３８】
図７（ａ）は山留め壁１ａのソイルセメント１３の位置での水平方向断面を示す図である。図７（ａ）に示すように、本実施形態では、セメントミルクがＨ型鋼１１の前方にはみ出さないように充填され、ソイルセメント１３がＨ型鋼１１の前方に突出しないように形成される。
【００３９】
山留め壁１ａを構築する際は、図７（ｂ）に示すように、地盤１００にロッド２０を挿入する位置をＨ型鋼１１のウェブの中心付近よりも後方にずらし、ロッド端部のノズルから矢印に示すようにセメントミルクを高圧噴射する。これにより、セメントミルクをＨ型鋼１１の前方にはみ出さないように充填できる。
【００４０】
この場合、地盤１００を掘削する際に前記の図５（ａ）で説明したようにソイルセメント１３を除去する必要がない。従って掘削作業が容易になり、ソイルセメント１３の処分コストが低減でき環境面でも好ましい。
【００４１】
以上、添付図を参照しながら、本発明の実施形態を説明したが、本発明の技術的範囲は、前述した実施形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【符号の説明】
【００４２】
１、１ａ………山留め壁
１１………Ｈ型鋼
１３………ソイルセメント
１５………鋼板
１００………地盤
２００………掘削箇所
【図１】
2015221993.tif 000003
【図２】
2015221993.tif 000004
【図３】
2015221993.tif 000005
【図４】
2015221993.tif 000006
【図５】
2015221993.tif 000007
【図６】
2015221993.tif 000008
【図７】
2015221993.tif 000009